(57)【要約】【課題】  印刷装置において、記録帯搬送が正常に行われているか否かを正しく判断できる印刷装置を提供することが課題である。【解決手段】  像担持体表面に形成されたトナー像を記録帯に転写させる転写器と、該転写器の記録帯搬送方向上流、ならびに下流に設けられた記録帯搬送手段と、前記下流側の記録帯搬送装置に記録帯搬送検知部材とその検知回路を設けた印刷装置において、前記上流側の記録帯搬送装置に記録帯搬送事前検知部材とその検知回路を設けたことを特徴とする。【選択図】  図２
2006227373.tif 000002
【特許請求の範囲】
【請求項１】
像担持体表面に形成されたトナー像を記録帯に転写させる転写器と、該転写器の記録帯搬送方向上流、ならびに下流に設けられた記録帯搬送手段と、前記下流側の記録帯搬送装置に記録帯搬送検知部材とその検知回路を設けた印刷装置において、前記上流側の記録帯搬送装置に記録帯搬送事前検知部材とその検知回路を設けたことを特徴とする印刷装置。
【発明の詳細な説明】
【技術分野】
【０００１】
本発明は、印刷装置に関し、更に詳しくは同装置の記録帯搬送検知に関する。
【背景技術】
【０００２】
電子写真式印刷装置は、像担持体上に静電潜像を形成し、そこにトナーを吸着させて印刷用紙等の記録帯に転写後、加熱定着するものである（例えば、特許文献１参照）。図４を用いて従来の印刷装置の全体構成を説明する。
【０００３】
印刷装置１は、印刷制御装置６０からの印刷動作開始命令により感光体等の像担持体２１を印刷装置１の印刷速度に相当する速度で回転させる。像担持体２１が回転を開始すると、コロナ帯電器２２により像担持体２１の表面が例えば正の電荷で均一に帯電される。この状態において光走査装置１０からの露光により静電潜像が形成される。光走査装置１０にはレーザやＬＥＤ等の光源１１を用い、印刷制御装置６０から印刷装置１に送信されてくる図示しない印字信号を元にして光源１１を点滅させ、回転多面体１２、ｆθレンズ１３、反射鏡１４等により導かれた走査光１５が像担持体２１を時系列的に走査することで、像担持体２１の表面に静電潜像を形成する。形成された静電潜像が現像装置２３に到達すると静電潜像にトナーが供給され、走査光１５により電荷が消失した部分に、例えば正電荷に帯電したトナーが静電気により像担持体２１に吸引されトナー像が形成される。用紙ホッパ５に収納された記録帯７は、記録帯搬送トラクタ３２、３３によって像担持体２１上に形成されたトナー像が転写器３１に到達するタイミングと同期させて像担持体２１と転写器３１の間に向けて搬送される。像担持体２１に形成されたトナー像は、記録帯７の背面側に設けられた転写器３１によってトナー像と逆極性の電荷を記録帯７に付与することで記録帯７上に吸引される。このようにして記録帯７上に形成されたトナー像は、記録帯搬送トラクタ３２、３３によってバッファプレート３４を通過し、定着装置４０に搬送される。定着装置４０においては、予熱板４１上を通過後、ヒータ４６を具備する加熱ローラ４２と加圧ローラ４３により加熱加圧しながら挟持搬送され、記録帯７上に形成されたトナー像が該記録帯７に溶融定着される。加熱ローラ４２と加圧ローラ４３により挟持搬送された記録帯７は、送り出しローラ４５にて折り畳み装置に誘導される。折り畳み装置の入り口には揺動機構５１が配置され、揺動動作によって記録帯７の折ミシン目に沿って交互に振り分けられ、折ミシン目をパドル５２で叩きながら折り畳み台５３上に積み上げられていく。尚、像担持体２１のトナー像が記録帯７へ転写した後は、清掃装置２４により清掃し、次の露光工程への準備を行う。また、バッファプレート３４は、用紙搬送トラクタ３３と挟持搬送を行う加熱ローラ４２の記録帯搬送速度に差が生じた場合に、その速度差によって発生する記録帯の弛み、あるいは、張りを吸収する為に具備されている。さらに、加熱ローラ４２に密着した清掃部材４４は、加熱ローラ４２表面に付着したトナーを清掃する為に設けられた部材であり、該部材には離型剤が染み込んでいる。この離型剤を塗布する為の塗布装置４６が清掃部材４４の背面に配置されている。
【０００４】
ところで、記録帯７が正常に搬送されているか否かを検知する為に、印刷装置１内には種々のセンサが具備されている。その内、記録帯搬送トラクタ３３には、記録帯搬送検知部材３５が具備されており、転写器３１近傍における記録帯７の搬送が正常に行われているか否かを判別している。記録帯搬送検知部材３５の例を図５〜図８に示す。記録帯搬送検知部材３５は、記録帯７の送り穴８が通過する部位の下部に配置され、記録帯７が搬送された際に記録帯搬送検知部材３５の検知部が記録帯７の送り穴８により見え隠れするようになっている。記録帯搬送検知部材３５には、基板７０に実装された発光素子７１と受光素子７２が組み込まれており、受光素子７２の信号は図４には図示しない検知回路に送信される。
【０００５】
このように構成された記録帯搬送検知部材３５は、送り穴８を検出しない状態では、図５、６に示す通り発光素子７１の光が記録帯７に反射して受光素子７２に照射され、送り穴８を検出した状態では、図７、８に示す通り発光素子７１の光が受光素子７２に照射されない挙動となる。記録帯７が搬送されている場合には、送り穴８が一定の間隔で空けられていることから、本挙動によって一定の周期で受光素子７２がＯＮ／ＯＦＦを繰り返す。この受光素子７２の信号を使用して、図１０に示すように一定の周期で信号が受信できれば正常、受信できなれば異常と判断し、記録帯７が正常に搬送されているか否かを判断することができる。
【０００６】
図９は、検知回路の一例を示す制御ブロック図である。記録帯７が定速で搬送されてから演算装置８０より搬送検知許可信号８５が搬送検知基準信号生成回路８３、および搬送検知判断回路８４に出力され、搬送検知基準信号生成回路８３は、搬送検知基準信号８６の出力を開始し、搬送検知判断回路８４は、記録帯搬送検知部材３５から出力される検知信号８７と搬送検知基準信号８６との比較を行うことで、記録帯７が正常に搬送されているか否かの判断を開始する。搬送検知基準信号８６の出力契機にて検知信号８７の信号がＯＮ／ＯＦＦを繰り返していれば正常、そうでなければ異常と判断し、搬送障害発生信号８８の出力を決定する。異常であれば、演算装置８０に対して搬送障害発生信号８８を出力し、印刷動作停止処理へ移行する。このようにして、転写器３１近傍における記録帯７の搬送が正常に行われているか否かを判別していた。
【０００７】
【特許文献１】特許第２８１１６８０号明細書
【発明の開示】
【発明が解決しようとする課題】
【０００８】
一方、記録帯７に用いられるものは一般的には用紙であるが、プレプリントが施された用紙も少なくない。プレプリント用紙の場合、見当合わせを行う為に余白部にレジスタマークが印刷されることが多い。しかし、図７、８に示すようにレジスタマーク９が前述した送り穴８付近に印刷された用紙を印刷した場合、そのレジスタマーク９が記録帯搬送検知部材３５上を通過した際に、発光素子７１の光が反射されず受光素子７２に光が到達しない場合があり、その為に送り穴でない部分を送り穴と判断してしまい、検知回路８１が誤動作して搬送障害発生信号を出力されてしまう。この誤動作により、実際には正常に記録帯７が搬送されているにもかかわらず、演算装置８０が印刷動作停止処理を実行してしまうという問題があった。もちろん、レジスタマークのみならず、パンチホールが空けられた記録帯等、記録帯搬送検知部材３５で誤検出する記録帯であれば、同様の現象が発生する。
【０００９】
本発明の目的は、記録帯搬送が正常に行われているか否かを正しく判断できる印刷装置を提供することにある。
【課題を解決するための手段】
【００１０】
上記課題は、記録帯搬送検知部材を記録帯が通過するよりも手前に記録帯搬送事前検知部材を設け、この記録帯搬送事前検知部材の検知結果を元にして記録帯搬送検知部材による搬送検知判断を有効とするか否かを決定する事前検知回路を設けることにより解決される。
【発明の効果】
【００１１】
本発明によれば、記録帯による搬送検知回路の誤動作を防ぐことができる為、消耗品や時間の浪費を防ぐことができる。
【発明を実施するための最良の形態】
【００１２】
以下に本発明を実施例により説明する。
【実施例１】
【００１３】
本発明の一実施例を図１、図２、図３を用いて説明する。図１は、本発明を示す構成図である。図４に示した従来の印刷装置と比較し、記録帯搬送事前検知部材３６が記録帯搬送トラクタ３２の手前に具備されたものである。本実施例における記録帯搬送事前検知部材３６は、記録帯搬送検知部材３５と同じものを使用し、前述した記録帯搬送検知部材３５の配置の通り、記録帯７が搬送された際に記録帯搬送事前検知部材３６の検知部が記録帯７の送り穴８により見え隠れするように配置されている。
【００１４】
図２は、記録帯搬送事前検知部材３６と事前検知回路８２を設けた搬送検知回路の制御ブロック図、図３はその動作タイミングを示すタイミングチャートである。記録帯７が定速で搬送されてから演算装置８０より搬送検知許可信号８５が搬送検知許可判断回路９０、および搬送事前検知基準信号生成回路９３に出力され、搬送事前検知基準信号生成回路９３は、搬送検知事前判断回路９４に対し搬送事前検知基準信号９６の出力を開始する。  搬送検知事前判断回路９４は、記録帯搬送事前検知部材３６から出力される検知信号９７と搬送事前検知基準信号９６との比較を行い、記録帯７から検知された検知状況を記録帯７が記録帯搬送部材３５に到達する前に把握することができる。検知状況は、搬送事前検知信号９６に同期して更新され、搬送検知禁止信号９８として搬送検知許可判断回路９０に出力される。
【００１５】
搬送検知事前判断回路９４にて搬送検知禁止信号がＯＮしたと認識すると、図３のＴ２の期間、すなわち搬送検知禁止信号がＯＮしている期間において、搬送検知有効信号９５をＯＦＦし、搬送検知基準信号生成回路８３、搬送検知判断回路８４の制御を無効とすることで、記録帯搬送検知部材３５により記録帯が正常に搬送されているか否かの判断を無効とする。つまり、この状態においては、記録帯搬送検知部材３５により搬送異常となる状態が検知されたとしても、演算装置８０に対し正常搬送であると報告する。
【００１６】
また、搬送検知有効信号９５をＯＦＦする契機は、記録帯７が記録帯搬送事前検知部材３６を通過してから記録帯搬送検知部材３５に到達するまでの期間分、すなわち、図３のＴ１の期間分遅延させた契機である。搬送検知有効信号９５がＯＮしている場合は、背景技術で説明した通り、記録帯搬送検知部材３５から出力される検知信号８７の情報と搬送検知基準信号８６との比較により、記録帯７の搬送が正常に行われているか否かを判断し、その結果を演算装置８０に報告する。異常であれば、演算装置８０に対して搬送障害発生信号８８を出力し、印刷動作停止処理へ移行する。
【００１７】
本印刷装置の前後に設ける前処理装置、後処理装置における記録帯搬送装置にも適用可能である。
【図面の簡単な説明】
【００１８】
【図１】本発明になる印刷装置の概念図。
【図２】本発明になる記録帯搬送検知手段を示す制御ブロック図。
【図３】図２の動作タイミングチャート。
【図４】従来の印刷装置を示す概念図。
【図５】従来の記録帯搬送検知部材を示す平面図。
【図６】従来の記録帯搬送検知部材を示す断面図。
【図７】従来の記録帯搬送検知部材を示す平面図。
【図８】従来の記録帯搬送検知部材を示す断面図。
【図９】従来の記録帯搬送検知手段を示す制御ブロック図。
【図１０】図９の動作タイミングチャート。
【符号の説明】
【００１９】
２１は像担持体、３２、３３は記録体搬送トラクタ、３５は記録体搬送検知部材、３６は事前検知、８１は検知回路、８２は事前検知回路、８５は搬送検知許可信号、８６は搬送検知基準信号、８７は受光素子信号、８８は搬送障害発生信号、９５は搬送検知有効信号、９６は搬送検知基準信号（事前検知用）、９７は受光素子信号（事前検知用）、９８は搬送検知禁止信号。
【図１】
2006227373.tif 000003
【図２】
2006227373.tif 000004
【図３】
2006227373.tif 000005
【図４】
2006227373.tif 000006
【図５】
2006227373.tif 000007
【図６】
2006227373.tif 000008
【図７】
2006227373.tif 000009
【図８】
2006227373.tif 000010
【図９】
2006227373.tif 000011
【図１０】
2006227373.tif 000012